(57)【要約】【課題】一実施例に係る光出力方法及び装置は安全に光を出力できる光出力方法及び装置が開示される。【解決手段】具体的に、出力光が特定面積に集中しないように出力光を制御する光出力方法及び装置が開示される。【選択図】図１
2021532341.tif 000002
【特許請求の範囲】
【請求項１】
オブジェクトに光を出力する光源と、
前記オブジェクトから前記光が反射する受信光を受信するレシーバーと、
前記光源と前記オブジェクトとの間の距離に応じて認識される前記オブジェクトの基準面積に対する情報が格納されるメモリーと、
前記レシーバーで認識される前記オブジェクトの認識面積と前記基準面積を比較して、前記光源の出力を制御するプロセッサーと、を含む、光出力装置。
【請求項２】
前記プロセッサーは
前記認識面積と前記基準面積の差異値が既設定された値以上の場合、前記光源の出力を低くするかオフする、請求項１に記載の光出力装置。
【請求項３】
前記光源の出力を低くするかオフすることは、前記光源に入力される電圧を低くするか遮断する、請求項２に記載の光出力装置。
【請求項４】
オブジェクトに光を出力する光源と、
前記オブジェクトから前記光が反射する受信光を受信する複数のピクセルを含むレシーバーと、
前記複数のピクセルの少なくとも一つのピクセルに既設定された強さより高い強さの光が検出される場合、前記光源の出力を制御するプロセッサーと、を含む、光出力装置。
【請求項５】
前記プロセッサーは
前記複数のピクセルのうちの既設定された強さより高い強さの光が検出されるピクセルがある場合、前記光源の出力を低くするかオフする、請求項４に記載の光出力装置。
【請求項６】
オブジェクトに光を出力する光源と、
前記オブジェクトから前記光が反射する受信光を受信する複数のピクセルを含むレシーバーと、
前記複数のピクセルのうちの前記オブジェクトを認識するピクセルの光検出強さの合計と既設定された基準強さ値を比較して前記光源の出力を制御するプロセッサーと、を含む、光出力装置。
【請求項７】
前記既設定された基準強さ値は、前記オブジェクトと前記光源との間の距離に応じて前記オブジェクトを認識する前記ピクセル各々に受信される光強さ値の合計である、請求項６に記載の光出力装置。
【請求項８】
前記プロセッサーは
前記ピクセルの光検出強さの合計が、既設定された強さ値以上の場合、前記光源の出力を低くするかオフする、請求項５に記載の光出力装置。
【請求項９】
前記オブジェクトの距離に応じた基準面積に対する情報は、複数の距離各々に対応する面積の情報をルックアップテーブル（ＬＵＴ：ｌｏｏｋ−ｕｐ  ｔａｂｌｅ）の形態で前記メモリーに格納する、請求項１に記載の光出力装置。
【請求項１０】
オブジェクトに光を出力するステップと、
前記オブジェクトから反射する受信光を受信するステップと、
前記光が前記オブジェクトから反射して受信される距離に応じて認識される前記オブジェクトの基準面積に対する情報を格納されるステップと、
前記受信された光によって認識される前記オブジェクトの認識面積と前記基準面積を比較して前記認識面積が前記基準面積より既設定された値以下である場合、前記光の出力を低くするか遮断するステップと、を含む、光出力装置の制御方法。
【発明の詳細な説明】
【技術分野】
【０００１】
本開示では、一つ以上の実施例により安全に光を出力する方法及び装置が開示される。
【背景技術】
【０００２】
光を出力してオブジェクトに反射させることによって情報を取得するデバイスが様々な分野において利用されている。例えば、３Ｄカメラから距離測定技法に至るまで、光を出力して情報を取得する技術は様々な方式で利用されている。
【０００３】
例えば、ＴＯＦ（Ｔｉｍｅ  ｏｆ  Ｆｌｉｇｈｔ）は、光が出力された時点とオブジェクトから反射して戻ってきた受信光の受信時点との間の時間差を測定して距離を測定する原理を示す用語であって、ＴＯＦ技術は、実現方法が簡単であるため、航空、造船、土木、カメラ、測量など様々な分野において利用されている。
【０００４】
しかし、このように光を出力して情報を取得する技術は、光を出力することを前提とするため、出力される本技術が利用される場合、出力される光が予測することが出来ない問題点を発生させることがある。従って、出力される光を安全などのため、場合により制御する具体的な方案が求められている。
【発明の概要】
【発明が解決しようとする課題】
【０００５】
本開示は一つ以上の実施例によって、安全に光を出力する方法及び装置を提供することができる。具体的に、光を出力するに当たり、場合によって出力される光を制御することによって使用者の安全を図る方法及び装置が開示される。
【０００６】
解決しようとする技術的課題は、前記の技術的課題に限定されず、通常の技術者に自明な範囲内で様々な技術的課題がさらに含まれることができる。
【課題を解決するための手段】
【０００７】
第１側面に係る光出力装置は、オブジェクトに光を出力する光源、前記オブジェクトから前記光が反射する受信光を受信するレシーバー、前記光源と前記オブジェクトとの間の距離に応じて認識される前記オブジェクトの基準面積に対する情報が格納されるメモリー、及び前記レシーバーで認識される前記オブジェクトの認識面積と前記基準面積を比較して前記光源の出力を制御するプロセッサーを含むことができる。
【０００８】
また、前記プロセッサーは、前記認識面積と前記基準面積の差異値が既設定された値以上の場合、前記光源の出力を低くするかオフすることができる。
【０００９】
さらに、前記光源の出力を低くするかオフすることは、前記光源に入力される電圧を低くするか遮断することができる。
【００１０】
第２側面に係る光出力装置は、オブジェクトに光を出力する光源、前記オブジェクトから前記光が反射する受信光を受信する複数のピクセルを含むレシーバー、前記複数のピクセルの少なくとも一つのピクセルに既設定された強さより高い強さの光が検出される場合、前記光源の出力を制御するプロセッサーを含むことができる。
【００１１】
さらに、前記プロセッサーは、前記複数のピクセルのうち既設定された強さより高い強さの光が検出されるピクセルがある場合、前記光源の出力を低くするかオフすることができる。
【００１２】
第３側面に係る光出力装置は、オブジェクトに光を出力する光源、前記オブジェクトから前記光が反射する受信光を受信する複数のピクセルを含むレシーバー、及び前記複数のピクセルのうち前記オブジェクトを認識するピクセルの光検出強さの合計と既設定された基準強さ値を比較して、前記光源の出力を制御するプロセッサーを含むことができる。
【００１３】
さらに、前記既設定された基準強さ値は、前記オブジェクトと前記光源との間の距離に応じて前記オブジェクトを認識する前記ピクセル各々に受信される光強さ値の合計でありうる。
【００１４】
さらに、前記プロセッサーは、前記ピクセルの光検出強さの合計が既設定された強さ値以上の場合、前記光源の出力を低くするかオフすることができる。
【００１５】
さらに、前記オブジェクトの距離に応じた基準面積に対する情報は、複数の距離各々に対応する面積の情報をルックアップテーブル（ＬＵＴ：ｌｏｏｋ−ｕｐ  ｔａｂｌｅ）の形態で前記メモリーに格納することができる。
【００１６】
第４側面に係る光出力装置の制御方法は、オブジェクトに光を出力するステップと、前記オブジェクトから反射する受信光を受信するステップと、前記光が前記オブジェクトから反射して受信される距離に応じて認識される前記オブジェクトの基準面積に対する情報を格納するステップと、前記受信された光によって認識される前記オブジェクトの認識面積と前記基準面積を比較して前記認識面積が前記基準面積より既設定された値以下である場合、前記光の出力を低くするか遮断するステップとを含むことができる。
【００１７】
第５側面は、第４側面の方法をコンピュータで実行させるためのプログラムを記録したコンピュータで読み込むことができる記録媒体を提供することができる。
【発明の効果】
【００１８】
一つ以上の実施例により出力される光を制御して、安全に光を出力する方法及び装置が開示される。
【図面の簡単な説明】
【００１９】
【図１】一実施例に係る光出力装置の構成及び動作を示すブロック図である。
【図２】一実施例に係る光出力装置が使用者を認識する一例を示す図面である。
【図３】一実施例により光出力装置が使用者の顔面を認識して動作する一例を示す図面である。
【図４】一実施例により光出力装置に含まれる光源の一例を示す図面である。
【図５】一実施例により光出力装置の光源から出力光を出力する一例を示す図面である。
【図６】一実施例により光出力装置が異物により出力光が集光される場合、出力光を制御する一例を示す図面である。
【図７】一実施例により光出力装置が一部部品の損傷により出力光が集光なる場合、出力光を制御する一例を示す図面である。
【図８】一実施例により光出力装置が使用者の顔面を認識してルックアップテーブルを取得する一例を示す図面である。
【図９】一実施例により光出力装置が顔面の面積認識により光源の出力を制御する一例を示すフローチャートである。
【図１０】一実施例により光出力装置がピクセルで受信される光のエネルギー値に基づいて光源の出力を制御する一例を示すフローチャートである。
【発明を実施するための形態】
【００２０】
実施例で使われる用語は、本発明での機能を考慮しながらできる限り現在広く使われる一般的な用語を選択したが、これは当分野に従事する技術者の意図または判例、新しい技術の出現などにより変わることができる。さらに、特定の場合は、出願人が任意に選定した用語もあり、この場合該当する発明の説明の部分で詳細にその意味を記載する。従って、本発明で使われる用語は単なる用語の名称ではなく、その用語が持つ意味と本発明の全般にわたった内容に基づいて定義されなければならない。
【００２１】
明細書全体において、ある部分がある構成要素を“含む”とする際、これは特に反対の記載がない限り他の構成要素を除くのではなく、他の構成要素をさらに含む可能性があることを意味する。さらに、明細書に記載された“…部”、“…モジュール”等の用語は、少なくとも一つの機能や動作を処理する単位を意味して、これはハードウェアまたはソフトウェアで具現されたりハードウェアとソフトウェアの結合で具現されることができる。
【００２２】
下記では、添付図面を参考にして本発明の実施例に対し本発明が属する技術分野において通常の知識を有する者が、容易に実施できるように詳細に説明する。しかし、本発明は様々な異なる形態で具現することができ、ここで説明する実施例に限定されない。
【００２３】
以下、図面を参照して本発明の実施例を詳細に説明する。
【００２４】
図１は、一実施例に係る光出力装置１００の構成及び動作を示すブロック図である。
【００２５】
図１に示したように、光出力装置１００は光源１１０、プロセッサー１０００及びレシーバー１２０を含むことができる。
【００２６】
しかし、図１に図示された構成要素ほかに他の汎用的な構成要素が光出力装置１００にさらに含まれる可能性があることを関連技術分野において通常の知識を有する者なら理解することができる。例えば、光出力装置１００は、光源から出力された光が透過するディフューザーまたはプロセッサー１０００と連結されるメモリーをさらに含むことができる。または、他の実施例に従う場合、図１に図示された構成要素のうちの一部構成要素は省略される可能性があることを関連技術分野において通常の知識を有する者なら理解することができる。
【００２７】
一実施例に係る光源１１０は、出力光を出力することができる。出力光は、光源１１０から出力される光として、既設定された範囲内の波長でありうる。
【００２８】
出力光は、光源１１０から出力される光を意味し、場合により単に‘光’と記載されることができる。
【００２９】
光源１１０は、例えば、赤外線波長を持つ光、安全のために人間の目には見えない約８５０ｎｍの近赤外線（ＮＩＲ）波長を持つ光を放出させることができる発光ダイオード（ＬＥＤ）またはレーザーダイオード（ＬＤ）であってもよいが、波長の帯域と光源の種類は制限を受けない。例えば、光源１１０から出力する出力光の波長は可視光線領域に含まれることもできて、紫外線領域に含まれることもできる。
【００３０】
プロセッサー１０００から受信された制御信号により光源１１０は例えば大きさ（ａｍｐｌｉｔｕｄｅ）変調または位相（ｐｈａｓｅ）変調を行って出力光を出力することができる。プロセッサー１０００の制御信号により光源１１０からオブジェクト１３０に出力される出力光は所定の周期を持つ周期的な連続関数の形態を持つことができる。例えば、出力光はサイン波、ランプ波、長方形波、パルス波などのように特別に定義された波形を持つこともできるが、定義されなかった一般的な形態の波形を有することもできる。
【００３１】
レシーバー１２０は、オブジェクト１３０から反射した光を受信することができる。レシーバー１２０が受信する受信光を介して光出力装置１００は、様々な情報を取得することができる。
【００３２】
一実施例に係る光出力装置１００は、受信光を介して、オブジェクト１３０に対する情報を取得することができる。例えば、プロセッサー１０００は、オブジェクト１３０の形状、大きさ、色などオブジェクトに対する様々な情報を取得することができる。さらに、光出力装置１００は、オブジェクト１３０の形状を認識することで既設定された形状とオブジェクト１３０の形状を対応させることができる。例えば、光出力装置１００は、受信光を介して顔面認識を行うことができる。光出力装置は、顔面認識を行うことによって、顔面に対する様々な情報を取得することができる。例えば、光出力装置は、オブジェクト１３０中顔面に対応する部分を決めて、顔面に対応する部分の大きさ、明るさ、色などの情報だけでなく、顔面までの距離に対する情報なども取得することができる。
【００３３】
レシーバー１２０は、レシーバー１２０に流入する様々な光のうちの光源１１０から出力された出力光がオブジェクト１３０に反射して獲得される受信光を区別することができる。例えば、光源１１０が７５０ｎｍ〜９５０ｎｍ範囲の出力光を出力する場合、レシーバー１２０はフィルタリングにより７５０ｎｍ〜９５０ｎｍ範囲の光を選別的に取得することができる。さらに、レシーバー１２０は、出力光に対応する受信光を選別的に取得することによって、オブジェクト１３０に対する正確な情報を取得することができる。
【００３４】
一実施例に係るプロセッサー１０００は、レシーバー１２０が受信する受信光を介して取得した情報に基づいて光源１１０及び／またはレシーバー１２０を制御することができる。
【００３５】
プロセッサー１０００は、レシーバー１２０が受信する受信光を介してオブジェクト１３０の特定面積に出力光が集中する程度を決めることができる。例えば、プロセッサー１０００は、使用者の顔面の面積を決めて、決められた顔面の面積と基準面積を比較して、使用者の顔面に出力光が集中するか否かを決めることができる。
【００３６】
一実施例に係るプロセッサー１０００は、距離に応じた使用者の顔面の面積に対する基準を示すＬＵＴ（ｌｏｏｋ  ｕｐ  ｔａｂｌｅ）を決めて、光源１１０から顔面までの距離に応じて決められる顔面の基準面積をＬＵＴから取得し、レシーバー１２０から出力光によって認識される顔面の面積である認識面積と基準面積の比較結果に応じて、光源１１０の出力を制御することができる。
【００３７】
オブジェクト１３０の距離に応じた基準面積に対する情報は、複数の距離各々に対応する面積の情報は、ルックアップテーブル（ＬＵＴ：ｌｏｏｋ−ｕｐ  ｔａｂｌｅ）の形態でメモリーに格納されることができる。
【００３８】
プロセッサー１０００は、レシーバー１２０が受信する受信光を介してオブジェクト１３０の特定面積に出力光が集中する程度を決めることができる。プロセッサー１０００は、レシーバー１２０に含まれた複数のピクセルに受信される受信光をピクセル別に取得して、オブジェクト１３０の特定面積（例：顔面面積）を決めて、オブジェクト１３０の特定面積から獲得される受信光の強さを決めて、オブジェクト１３０の特定面積から獲得される受信光の強さが既設定値以上であるか否かを決めることができる。顔面面積は、全体面積のうち使用者の顔面を示す面積を意味することになる。
【００３９】
一実施例に係るプロセッサー１０００は、レシーバー１２０に含まれた複数のピクセルのうちの顔面面積に対応するピクセルを決めて顔面面積に含まれるレシーバー１２０のピクセルのうちのピクセル当たり受信光のエネルギー値が既設定値以上のピクセルがある場合、現在の状態を異常事態と決めることができる。他の例で、プロセッサー１０００は、レシーバー１２０に含まれた複数のピクセルのうちの顔面面積に対応するピクセルを決めて顔面面積に含まれるレシーバー１２０のピクセルのうちのピクセル当たり受信光のエネルギー値が既設定値以上のピクセルが既設定された個数以上（例：２つ）の場合、現在の状態を異常事態と決めることができる。
【００４０】
一実施例に係るプロセッサー１０００は、顔面面積に含まれたレシーバー１２０のピクセルが受信する受信光のエネルギー値の合計が既設定値以上の場合、現在の状態を異常事態と決めることができる。
【００４１】
現在の状態が異常事態と決められた場合、プロセッサー１０００は、光源１１０に制御信号を送信して光源１１０から出力される出力光の強さを既設定値以下に制御することができる。
【００４２】
例えば、現在の状態が異常事態と決められた場合、プロセッサー１０００は、光源１１０から出力光が出力されないように光源１１０の出力をオフすることができる。
【００４３】
他の例で、現在の状態が異常事態と決められた場合、プロセッサー１０００は、光源１１０から出力される出力光の強さが既設定値以下になるように光源１１０の出力を制御することができる。
【００４４】
他の例で、現在の状態が異常事態と決められた場合、プロセッサー１０００は、現在の状態に応じて光源１１０から出力される出力光を制御することができる。一例で、顔面面積に含まれるレシーバー１２０のピクセルのうちピクセル当たり受信光のエネルギー値が第１値以上のピクセルがある場合、プロセッサー１０００は、光源１１０から出力光が出力されないように光源１１０の出力をオフし、顔面面積に含まれるレシーバー１２０のピクセルのうちのピクセル当たり受信光のエネルギー値が第２値（第１値よりは小さい値）以上、第１値以下のピクセルがある場合、プロセッサー１０００は、光源１１０から出力される出力光の強さが既設定値以下になるように光源１１０の出力を制御することができる。
【００４５】
他の例で、現在の状態が異常事態と決められた場合、プロセッサー１０００は、顔面面積に含まれたレシーバー１２０のピクセルが受信する受信光のエネルギー値の合計に応じて、光源１１０から出力される出力光を制御することができる。一例で、顔面面積に含まれたレシーバー１２０のピクセルが受信する受信光のエネルギー値の合計が、第１値以上の場合、プロセッサー１０００は、光源１１０から出力光が出力されないように光源１１０の出力をオフし、顔面面積に含まれたレシーバー１２０のピクセルが受信する受信光のエネルギー値の合計が、第２値（第１値よりは小さい値）以上、第１値以下の場合、プロセッサー１０００は、光源１１０から出力される出力光の強さが既設定値以下になるように光源１１０の出力を制御することができる。
【００４６】
プロセッサー１０００は、オブジェクト１３０の特定面積に関係なく出力光が集中するか否かを決めて、出力光の集中がセンシングされる場合には、現在の状態を異常事態と決めることができる。光源１１０とオブジェクト１３０の距離に応じて出力光が照射される面積が決められる。光源１１０とオブジェクト１３０の距離が遠いほど出力光が照射される面積が広くなり、光源１１０とオブジェクト１３０の距離が近いほど出力光が照射される面積が狭くなる。プロセッサー１０００は、現在の光源１１０とオブジェクト１３０との間の距離を決めて、現在の光源１１０とオブジェクト１３０との間の距離に応じて出力光が照射されると予想される全体基準面積を決めることができる。プロセッサー１０００は、レシーバー１２０から受信される出力光を介して出力光が認識される全体認識面積を決めて、全体認識面積と全体基準面積を比較して異常事態であるか否かを決めることができる。
【００４７】
全体認識面積は、出力光によって認識される全体面積であるため、全体認識面積が全体基準面積より小さいことは、出力光が集光されたことを意味することになる。従ってプロセッサー１０００は、全体認識面積が全体基準面積より小さい場合、光源１１０から出力される出力光を制御することができる。例えば、プロセッサー１０００は、全体認識面積が全体基準面積より小さい場合、光源１１０をオフして出力光の出力を停止することができる。他の例で、プロセッサー１０００は、全体認識面積が全体基準面積より小さい場合、光源１１０から出力される出力光の強さを既設定値以下に減少させることができる。
【００４８】
プロセッサー１０００が、出力光によって認識される面積である全体認識面積と全体基準面積を比較して比較結果に応じて光源１１０の出力を制御する方式には様々な方式があり得る。
【００４９】
一実施例に係るプロセッサー１０００は、上述した通り全体認識面積が全体基準面積より小さい場合、光源１１０から出力される出力光を制御することができる。
【００５０】
一実施例に係るプロセッサー１０００は、全体認識面積が全体基準面積の既設定比率より小さい場合（例：全体基準面積の８０％以下）、光源１１０の出力を制御することができる。例えば、プロセッサー１０００は、全体認識面積が全体基準面積の既設定比率より小さい場合、光源１１０をオフして出力光の出力を停止することができる。他の例で、プロセッサー１０００は、全体認識面積が全体基準面積の既設定比率より小さい場合、光源１１０から出力される出力光の強さを既設定値以下に減少させることができる。
【００５１】
一実施例に係るプロセッサー１０００は、全体認識面積が全体基準面積の既設定比率より小さい場合（例：全体基準面積の９０％以下）、全体認識面積の大きさに基づいて光源１１０の出力を制御することができる。例えば、全体認識面積が全体基準面積の既設定比率より小さな場合、プロセッサー１０００は、全体認識面積の大きさに反比例するように出力光の強さを制御することができる。他の例で、全体認識面積が第１区間（例：全体基準面積の９０％〜５０％）に決められた場合、プロセッサー１０００は、全体認識面積の大きさに反比例するように出力光の強さを制御して、全体認識面積が第２区間（例：全体基準面積の５０％ 〜 ０％）に決められた場合、プロセッサーは、出力光が出力されないように光源１１０をオフする。
【００５２】
一実施例により、光源１１０は、オブジェクト１３０に光を出力して、レシーバー１２０は、オブジェクトから光が反射する受信光を受信することができる。光源１１０とオブジェクト１３０との間の距離に応じて認識されるオブジェクト１３０の基準面積に対する情報は、メモリー（図示せず）に格納されることができる。
【００５３】
プロセッサー１０００は、レシーバー１２０で認識されるオブジェクト１３０の認識面積と基準面積を比較して光源１１０の出力を制御することができる。具体的に、プロセッサー１０００は、認識面積と基準面積の差異値が既設定された値以上の場合、光源１１０の出力を低くするかオフすることができる。ここで、光源１１０の出力を低くするかオフすることは、光源１１０に入力される電圧を低くするか遮断することを意味することになる。
【００５４】
一実施例により、光源１１０は、オブジェクト１３０に光を出力して、レシーバー１２０は、オブジェクトから光が反射する受信光を受信することができる。レシーバー１２０は、オブジェクト１３０から光が反射する受信光を受信する複数のピクセルを含むことができる。複数のピクセルの少なくとも一つのピクセルに既設定された強さより高い強さの光が検出される場合、プロセッサー１０００は、光源１１０の出力を制御することができる。具体的に、プロセッサー１０００は、複数のピクセルのうちの既設定された強さより高い強さの光が検出されるピクセルがある場合、光源１１０の出力を低くするかオフすることができる。
【００５５】
一実施例により、光源１１０は、オブジェクト１３０に光を出力して、レシーバー１２０は、オブジェクト１３０から光が反射する受信光を受信する複数のピクセルを含むことができる。
【００５６】
プロセッサー１０００は、複数のピクセルのうちのオブジェクト１３０を認識するピクセルの光検出強さの合計と既設定された基準強さ値を比較して光源１１０の出力を制御することができる。具体的に、プロセッサー１０００は、光検出強さの合計が既設定された基準強さ値より大きい場合、光源１１０の出力を低くするかオフすることができる。または、プロセッサー１０００はピクセルの光検出強さの合計が既設定された強さ値以上の場合、光源１１０の出力を低くするかオフすることができる。
【００５７】
既設定された基準強さ値は、オブジェクト１３０と光源１１０との間の距離に応じてオブジェクト１１０を認識するピクセル各々に受信される光強さ値の合計であり得る。
【００５８】
一実施例に従うと、光出力装置１００は、オブジェクト１３０に光を出力して、オブジェクト１３０から反射する受信光を受信して、光がオブジェクト１３０から反射して受信される距離に応じて認識されるオブジェクト１３０の基準面積に対する情報を格納して、受信された光によって認識されるオブジェクト１３０の認識面積と基準面積を比較して認識面積が基準面積より既設定された値以下である場合、光の出力を低くするか遮断することができる。
【００５９】
図２は、一実施例に係る光出力装置１００が使用者を認識する一例を示す図面である。
【００６０】
一実施例に係る光出力装置１００は、使用者を認識することができる。一例で、光出力装置１００は、使用者の特定身体部位（例：顔面）を認識することができる。光出力装置１００は、獲得されるイメージの全体面積のうち使用者の顔面に対応する面積を決めることができる。
【００６１】
一実施例に係る光出力装置１００は、使用者の特定身体部位（例：顔面）の面積に対する基準を決めることができる。
【００６２】
一実施例に係る光出力装置１００は、光源１１０または光出力装置１００から顔面までの距離に基づいて決められる顔面の基準面積を決めることができる。顔面の基準面積は、距離に応じた使用者の顔面の面積の基準を示す。光出力装置１００は、一回以上の撮影で距離に応じた基準面積を決めることができる。例えば、光出力装置１００は、基準面積を決めるための基準面積決定モードで、決められた使用者の顔面面積と使用者の顔面面積が決められる時、光出力装置１００と顔面との間の距離を利用して、距離に応じた使用者の顔面面積の予測値である基準面積を決めることができる。例えば、光源１１０から顔面までの距離が０．１ｍである時、予想される使用者の顔面面積がａｍ２の場合、ａｍ２は距離０．１ｍに対する顔面の基準面積で、光源１１０から顔面までの距離が１ｍである時、予想される使用者の顔面面積がｃｍ２の場合、ｃｍ２は距離０．１ｍに対する顔面の基準面積であり得る。
【００６３】
一実施例に係る光出力装置１００は、使用者の特定身体部位（例：顔面）の面積を決めることができる。光出力装置１００が、出力光によって認識した顔面の面積である認識面積は、光出力装置１００と顔面との間の距離２１０に応じて変わることができる。例えば、光出力装置１００と顔面との間の距離２１０が遠くなるほど認識面積は小さくなり、光出力装置１００と顔面との間の距離２１０が近くなるほど認識面積は大きくなることができる。
【００６４】
一実施例に係る光出力装置１００は、顔面の面積を決める時、顔面の面積に対応するピクセルの個数を利用することができる。光出力装置１００は、レシーバー１２０に含まれた複数のピクセルのうち顔面の面積に対応するピクセルの個数によって顔面の面積を決めることができる。光出力装置１００は、受信光を介して取得したイメージの全体面積のうち顔面に対応する面積が占める比率を利用して顔面の面積を決めることができる。
【００６５】
一実施例に係る光出力装置１００は、顔面の面積を決める時、顔面の横長さ２２０を利用することができる。光出力装置１００は、レシーバー１２０に含まれた複数のピクセルのうちの顔面の横長さ２２０に対応するピクセルの個数に応じて顔面の面積を決めることができる。光出力装置１００は、受信光を介して取得したイメージの全体横の長さのうち顔面の横長さ２２０が占める比率を利用して顔面の面積を決めることができる。
【００６６】
一実施例に係る光出力装置１００は、顔面の面積を決める時、顔面の縦長さ２３０を利用することができる。光出力装置１００は、レシーバー１２０に含まれた複数のピクセルのうちの顔面の縦長さ２３０に対応するピクセルの個数に応じて顔面の面積を決めることができる。光出力装置１００は、受信光を介して取得したイメージの全体縦の長さのうち顔面の縦長さ２３０が占める比率を利用して顔面の面積を決めることができる。
【００６７】
図３は、一実施例により光出力装置１００が使用者の顔面を認識して動作する一例を示す図面である。
【００６８】
一実施例に係る認識面積は、出力光によって使用者の顔面が認識される面積であり得る。出力光が十分に広い範囲で照射される場合、認識面積は、全体顔面面積３２０であり得る。しかし、出力光が集光される場合、認識面積は全体顔面面積３２０中一部面積であり得る。例えば、認識面積は、全体顔面面積３２０と認識可能最小面積３３０との間であり、場合により、認識可能最小面積３３０より小さいこともある。しかし、通常認識面積は、全体顔面面積３２０より大きくないこともある。
【００６９】
一実施例に係る認識可能最小面積３３０は、使用者の顔面を認識するための最小面積を意味することになる。光出力装置１００は、認識可能最小面積３３０に対する情報がある場合、顔面であるか否かを決めることができる。また、一度顔面と認識された面積については持続的に顔面と認識することができる。さらに、光出力装置１００が顔面であるか否かを決める時には、光源１１０から出力される出力光だけでなく他の光（例：自然光）を利用することができる。
【００７０】
一実施例に係る光出力装置１００は、光源１１０または光出力装置１００から顔面までの距離に基づいて決められる顔面の基準面積を決めることができる。例えば、光源１１０から顔面までの距離が０．１ｍである時、予想される使用者の顔面面積がａｍ２の場合、ａｍ２は距離０．１ｍに対する顔面の基準面積で、光源１１０から顔面までの距離が１ｍである時、予想される使用者の顔面面積がｃｍ２の場合、ｃｍ２は距離１ｍに対する顔面の基準面積であり得る。このような基準面積は、ＬＵＴ（Ｌｏｏｋ Ｕｐ Ｔａｂｌｅ）と表示されたり格納されることができる。
【００７１】
基準面積は、基準となる面積として、実際の顔面面積の全体または一部にあらかじめ決められることができる。例えば、基準面積は、全体顔面面積３２０に対応する面積であり、認識可能最小面積３３０に対応する面積であり得る。基準面積が、全体顔面面積３２０に対応する場合、光出力装置１００は、基準面積を決める時距離に応じて認識される顔面面積全体を基準面積で決めることができる。基準面積が、認識可能最小面積３３０に対応する場合、光出力装置１００は、基準面積を決める時距離に応じて認識される認識可能な最小限の面積を基準面積で決めることができる。
【００７２】
一度決められた基準面積は、メモリーに格納されて、必要な場合、プロセッサー１０００は、メモリーに格納されたＬＵＴを利用して距離に応じた基準面積を決めることができる。
【００７３】
プロセッサー１０００は、出力光によって認識される顔面の面積である認識面積と基準面積を比較して比較結果に応じて光源１１０の出力を制御することができる。
【００７４】
認識面積は、出力光によって認識される顔面の面積であるため、認識面積が基準面積より小さいことは、出力光が顔面面積内に集中したことを意味することになる。従って、プロセッサー１０００は、認識面積が基準面積より小さい場合、光源１１０から出力される出力光を制御することができる。例えば、プロセッサー１０００は、認識面積が基準面積より小さい場合、光源１１０をオフして出力光の出力を停止することができる。他の例で、プロセッサー１０００は、認識面積が基準面積より小さい場合、光源１１０から出力される出力光の強さを既設定値以下に減少させることができる。
【００７５】
プロセッサー１０００が、出力光によって認識される顔面の面積である認識面積と基準面積を比較して比較結果に応じて光源１１０の出力を制御する方式には様々な方式があり得る。
【００７６】
一実施例に係るプロセッサー１０００は、上述した通り認識面積が基準面積より小さい場合、光源１１０から出力される出力光を制御することができる。
【００７７】
一実施例に係るプロセッサー１０００は、認識面積が基準面積の既設定比率より小さい場合（例：基準面積の８０％以下）、光源１１０の出力を制御することができる。例えば、プロセッサー１０００は、認識面積が基準面積の既設定比率より小さい場合、光源１１０をオフして出力光の出力を停止することができる。他の例で、プロセッサー１０００は、認識面積が基準面積の既設定比率より小さい場合、光源１１０から出力される出力光の強さを既設定値以下に減少させることができる。
【００７８】
一実施例に係るプロセッサー１０００は、認識面積が基準面積の既設定比率より小さい場合（例：基準面積の９０％以下）、認識面積の大きさに基づいて光源１１０の出力を制御することができる。例えば、認識面積が基準面積の既設定比率より小さな場合、プロセッサー１０００は、認識面積の大きさに反比例するように出力光の強さを制御することができる。他の例で、認識面積が第１区間（例：基準面積の９０％ 〜 ５０％）に決められた場合、プロセッサー１０００は認識面積の大きさに反比例するように出力光の強さを制御して、認識面積が第２区間（例：基準面積の５０％ 〜 ０％）に決められた場合、プロセッサー１０００は出力光が出力されないように光源１１０をオフすることができる。
【００７９】
図４は、一実施例により光出力装置１００に含まれる光源１１０の一例を示す図面である。
【００８０】
光源１１０は、レーザー光源４２０及び光学装備４１０を含むことができる。光学装備４１０は、レンズ、ディフューザー、ガラスなど光学に関わる様々な装備を包括的に指すことができる。
【００８１】
一実施例により光源１１０が、レーザー光源４２０を含む場合、レーザー光源４２０から出力されたレーザー４３０は、光学装備４１０に印加されることができる。光学装備４１０は、印加されたレーザー４３０を分散して出力光４４０から出力することができる。最初にエネルギーが集中したレーザー４３０が光学装備４１０によって分散して出力されるので、光学装備４１０でレーザー４３０を分散させることができない場合には、出力光４４０が分散せず集中することができる。または、光学装備４１０でレーザー４３０を分散させるにも関わらず、分散したレーザーが再び集光される場合、出力光４４０のエネルギー密度が高くなり得る。
【００８２】
図５は、一実施例により光出力装置１００の光源１１０から出力光５１０を出力する一例を示す図面である。
【００８３】
一実施例により光源１１０は、サブストレート５５０、ピクセル（ＶＣＳＥＬ）５４０、ディフューザー５３０及びカバーガラス５２０を含むことができる。
【００８４】
サブストレート５５０上に位置したピクセル５４０から出力されるレーザーが、ディフューザー５３０を通過しながら分散して出力されることができる。また、出力光５１０は、カバーガラス５２０を通過して光源１１０の外部から出力されることができる。
【００８５】
カバーガラス５２０は、光源１１０の外部に位置して光源１１０及びディフューザー５３０を外部と分離することができる。
【００８６】
最初にエネルギーが集中したレーザーが、ディフューザー５３０によって分散して出力されるので、ディフューザー５３０でレーザーを分散させることができない場合には、出力光５１０が分散せず集中することができる。または、ディフューザー５３０で分散をさせるにも関わらず、分散したレーザーが再び集光される場合、出力光５１０のエネルギー密度が高くなり得る。
【００８７】
図６は、一実施例により光出力装置１００が異物により出力光６１０が集光される場合、出力光を制御する一例を示す図面である。
【００８８】
一実施例により光源１１０は、サブストレート６５０、ピクセル（ＶＣＳＥＬ）６４０、ディフューザー６３０及びカバーガラス６２０を含むことができる。
【００８９】
サブストレート６５０上に位置したピクセル６４０から出力されるレーザーが、ディフューザー６３０を通過しながら分散して出力されることができる。また、出力光６１０は、カバーガラス６２０を通過して光源１１０の外部から出力されることができる。
【００９０】
カバーガラス６２０は、光源１１０の外部に位置して光源１１０及びディフューザー６３０を外部と分離することができる。
【００９１】
しかし、異物６００がある場合、出力光６１０は一次的にディフューザー６３０によって分散した後、異物６００によって再び集中することができる。
【００９２】
このように出力光６１０のエネルギー密度が高まった場合、光出力装置１００は、出力される光を制御することができる。例えば、出力光６１０の高いエネルギー密度が使用者の顔面で探知される場合、光出力装置１００は、出力光６１０が出力できないように光源１１０をオフしたり出力光６１０の強さが既設定値以下になるように光源１１０を制御することができる。
【００９３】
図７は、一実施例により光出力装置１００が一部部品の損傷により出力光７１０が集光なる場合、出力光を制御する一例を示す図面である。
【００９４】
一実施例により光源１１０は、サブストレート７５０、ピクセル（ＶＣＳＥＬ）７４０、ディフューザー７３０及びカバーガラス７２０を含むことができる。
【００９５】
サブストレート７５０上に位置したピクセル７４０から出力されるレーザーが、ディフューザー７３０を通過しながら分散して出力されることができる。カバーガラス７２０を通過して光源１１０の外部から出力されることができる。
【００９６】
カバーガラス７２０は、光源１１０の外部に位置して光源１１０及びディフューザー７３０を外部と分離することができる。
【００９７】
しかし、ディフューザー７３０に損傷がある場合、出力光７１０は、ディフューザー７３０によって分散せず出力されることができる。または、かえってディフューザー７３０は出力されるレーザーをより集中させて出力することができる。
【００９８】
このように出力光７１０のエネルギー密度が高まった場合、光出力装置１００は、出力される光を制御することができる。例えば、出力光７１０の高いエネルギー密度が使用者の顔面で探知される場合、光出力装置１００は、出力光７１０が出力されないように光源１１０をオフしたり出力光７１０の強さが既設定値以下になるように光源１１０を制御することができる。
【００９９】
図６及び図７で開示している場合の他にも、光出力装置１００が動作する場合は多様であり、上述された実施例に限定されない。例えば、光出力装置１００は、カバーガラス６２０が割れて集光される場合、異物がカバーガラス６２０の内側に生成されて集光される場合、異物がディフューザー５３０の内側に生成されて集光される場合などに出力される出力光を制御（例：オフまたは減少）することができる。
【０１００】
図８は一実施例により光出力装置１００が使用者の顔面を認識してルックアップテーブルを取得する一例を示す図面である。
【０１０１】
一実施例に係る基準面積８２０は、光源１１０または光出力装置１００から顔面までの距離に応じて予想される顔面の面積を示すことができる。一実施例により一回以上の撮影によって光出力装置１００は、光源１１０から顔面までの距離８１０に応じた基準面積８２０を決めることができる。例えば、光出力装置１００は、光源１１０から顔面までの距離８１０が１ｍである時、顔面の面積をｃｍ２で決めた場合、光源１１０から顔面までの距離８１０が０．１ｍ、０．５ｍ、１．５ｍ、３ｍ、５ｍなどの場合にもそれに対応する基準面積８２０を既設定されたアルゴリズムなどを利用して決めることができる。
【０１０２】
図９は、一実施例により光出力装置１００が、顔面面積を認識するにつれ光源１１０の出力を制御する一例を示すフローチャートである。
【０１０３】
ステップＳ９１０で一実施例に係る光出力装置１００は、距離に応じた使用者の顔面の面積に対する基準を示すＬＵＴを決める。
【０１０４】
一実施例に係る基準面積は、光源１１０または光出力装置１００から顔面までの距離に応じて予想される顔面の面積を示すことができる。一実施例により一回以上の撮影によって光出力装置１００は、光源１１０から顔面までの距離に応じた基準面積を決めることができる。例えば、光出力装置１００は、光源１１０から顔面までの距離が０．５ｍである時、顔面の面積をｂｍ２で決めた場合、光源１１０から顔面までの距離が０．１ｍ、１ｍ、１．５ｍ、３ｍ、５ｍなどである場合にもそれに対応する基準面積を既設定されたアルゴリズムなどを利用して決めることができる。
【０１０５】
さらに、光出力装置１００は、距離に応じた基準面積をＬＵＴ形態で格納することができる。
【０１０６】
一実施例に係る光出力装置１００は、使用者の特定身体部位（例：顔面）の面積に対する基準を決めることができる。
【０１０７】
一実施例に係る光出力装置１００は、光源１１０または光出力装置１００から顔面までの距離に基づいて決められる顔面の基準面積を決めることができる。顔面の基準面積は、距離に応じた使用者の顔面の面積の基準を示す。光出力装置１００は一回以上の撮影で距離に応じた基準面積を決めることができる。例えば、光出力装置１００は、基準面積を決めるための基準面積決定モードで、決められた使用者の顔面面積と使用者の顔面面積が決められる時光出力装置１００と顔面間の距離を利用して、距離に応じた使用者の顔面面積の予測値である基準面積を決めることができる。例えば、光源１１０から顔面までの距離が０．１ｍである時、予想される使用者の顔面面積がａｍ２の場合、ａｍ２は距離０．１ｍに対する顔面の基準面積で、光源１１０から顔面までの距離が１ｍである時、予想される使用者の顔面面積がｃｍ２の場合、ｃｍ２は距離０．１ｍに対する顔面の基準面積であり得る。
【０１０８】
ステップＳ９２０で一実施例に係る光出力装置１００は出力光を出力する。
【０１０９】
光出力装置１００は、例えば大きさ（ａｍｐｌｉｔｕｄｅ）変調または位相（ｐｈａｓｅ）変調を行って出力光を出力することができる。オブジェクト１３０から出力される出力光は、所定の周期を持つ周期的な連続関数の形態を持つことができる。例えば、出力光は サイン波、ランプ波、長方形波、パルス波などのように特別に定義された波形を持つこともできるが、定義されなかった一般的な形態の波形を持つこともできる。
【０１１０】
ステップＳ９３０で一実施例に係る光出力装置１００は、使用者の身体の一部または全部を含むオブジェクトから出力光が反射して獲得される受信光を受信する。
【０１１１】
光出力装置１００は、オブジェクト１３０から反射した光を受信することができる。光出力装置１００が受信する受信光を介して光出力装置１００は、様々な情報を取得することができる。
【０１１２】
光出力装置１００は、レシーバー１２０に流入する様々な光のうちの光出力装置１００から出力された出力光がオブジェクト１３０に反射して獲得される受信光を区別することができる。例えば、光出力装置１００が７５０ｎｍ〜９５０ｎｍ範囲の出力光を出力する場合、光出力装置１００は、フィルタリングによって７５０ｎｍ〜９５０ｎｍ範囲の光を選別的に取得することができる。さらに、光出力装置１００は、出力光に対応する受信光を選別的に取得することによって、オブジェクト１３０に対する正確な情報を取得することができる。
【０１１３】
ステップＳ９４０で一実施例に係る光出力装置１００は、光出力装置１００から顔面までの距離を決める。
【０１１４】
光出力装置１００は、受信光を介して光出力装置１００から顔面までの距離を決めることができる。例えば、ＴＯＦ方式によって光出力装置１００は光出力装置１００から顔面までの距離を決めることができる。
【０１１５】
ステップＳ９５０で一実施例に係る光出力装置１００は、ステップＳ９４０で光源から顔面までの距離に応じて決められる顔面の基準面積をＬＵＴから取得する。
【０１１６】
一実施例に係る光出力装置１００は、ステップＳ９１０で受信したＬＵＴにステップＳ９４０で決められた距離を対応させて現在光出力装置１００から顔面までの距離に対応する顔面の基準面積を決めることができる。
【０１１７】
ステップＳ９６０で一実施例に係る光出力装置１００は、レシーバーで認識される顔面の面積である認識面積と基準面積の比較結果に応じて光源の出力を制御する。
【０１１８】
一実施例に係る光出力装置１００は、使用者の特定身体部位（例：顔面）の面積を決めることができる。光出力装置１００が、出力光によって認識した顔面の面積である認識面積は、光出力装置１００と顔面との間の距離に応じて変わることができる。例えば、光出力装置１００と顔面との間の距離が、遠くなるほど認識面積は小さくなって、光出力装置１００と顔面との間の距離が近くなるほど認識面積は大きくなることができる。
【０１１９】
光出力装置１００は、出力光によって認識される顔面の面積である認識面積と基準面積を比較して比較結果に応じて光出力装置１００の出力を制御することができる。
【０１２０】
認識面積は、出力光によって認識される顔面の面積であるため、認識面積が基準面積より小さいことは、出力光が顔面面積内に集中したことを意味することになる。従って、光出力装置１００は、認識面積が基準面積より小さい場合、光源１１０から出力される出力光を制御することができる。例えば、光出力装置１００は、認識面積が基準面積より小さい場合、出力光の出力を停止することができる。他の例で、光出力装置１００は、認識面積が基準面積より小さい場合、出力光の強さを既設定値以下に減少させることができる。
【０１２１】
光出力装置１００が、出力光によって認識される顔面の面積である認識面積と基準面積を比較して比較結果に応じて出力光の出力を制御する方式には様々な方式があり得る。
【０１２２】
一実施例に係る光出力装置１００は、上述した通り認識面積が基準面積より小さい場合、光出力装置１００から出力される出力光を制御することができる。
【０１２３】
一実施例に係る光出力装置１００は、認識面積が基準面積の既設定比率より小さい場合（例：基準面積の８０％以下）、出力光の出力を制御することができる。例えば、光出力装置１００は、認識面積が基準面積の既設定比率より小さい場合、出力光の出力を停止することができる。他の例で、光出力装置１００は、認識面積が基準面積の既設定比率より小さい場合、出力光の強さを既設定値以下に減少させることができる。
【０１２４】
一実施例に係る光出力装置１００は、認識面積が基準面積の既設定比率より小さい場合（例：基準面積の９０％以下）、認識面積の大きさに基づいて出力光の出力を制御することができる。例えば、認識面積が基準面積の既設定比率より小さな場合、光出力装置１００は認識面積の大きさに反比例するように出力光の強さを制御することができる。他の例で、認識面積が、第１区間（例：基準面積の９０％〜５０％）に決められた場合、光出力装置１００は、認識面積の大きさに反比例するように出力光の強さを制御して、認識面積が第２区間（例：基準面積の５０％〜０％）に決められた場合、光出力装置１００は出力光が出力されないように出力光の出力をオフすることができる。
【０１２５】
図１０は、一実施例により光出力装置１００がピクセルで受信される光のエネルギー値に基づいて光源１１０の出力を制御する一例を示すフローチャートである。
【０１２６】
図１０を参照すると、一実施例に係る光出力装置１００が出力を制御する方法は、図９に図示されたステップを一部含む。以下において省略された内容であっても図９に図示されたステップに関して以上で記述された内容は、図１０の光出力装置１００が出力を制御する方法にも適用されることができる。
【０１２７】
ステップＳ１０１０及びステップＳ１０２０は、ステップＳ９２０及びステップＳ９３０に対応するので、全体的な説明を簡単にするだめに詳細な説明を省略する。
【０１２８】
ステップＳ１０３０で一実施例に係る光出力装置１００は、全体面積のうち使用者の顔面を示す顔面面積を受信光を利用して決める。
【０１２９】
一実施例に係る顔面面積は、全体面積のうち使用者の顔面を示す面積を意味し、顔面面積は出力光だけでなく自然光等を介しても決められることができる。
【０１３０】
ステップＳ１０４０で一実施例に係る光出力装置１００は、顔面面積に含まれたレシーバー１２０のピクセルのうちのピクセル当たり受信光のエネルギー値が既設定値以上のピクセルがあるか否かを決める。
【０１３１】
光出力装置１００は、レシーバー１２０に含まれた複数個のピクセルに受信される受信光をピクセル別に取得して、オブジェクト１３０の特定面積（例：顔面面積）を決めて、オブジェクト１３０の特定面積から獲得される受信光の強さを決めて、オブジェクト１３０の特定面積から獲得される受信光の強さが既設定値以上であるか否かを決めることができる。
【０１３２】
一実施例に係る光出力装置１００は、レシーバー１２０に含まれた複数個のピクセルのうちの顔面面積に対応するピクセルを決めて顔面面積に含まれるレシーバー１２０のピクセルのうちのピクセル当たり受信光のエネルギー値が既設定値以上のピクセルがある場合、現在の状態を異常事態と決めることができる。他の例で、プロセッサー１０００は、レシーバー１２０に含まれた複数個のピクセルのうちの顔面面積に対応するピクセルを決めて顔面面積に含まれるレシーバー１２０のピクセルのうちのピクセル当たり受信光のエネルギー値が既設定値以上のピクセルが既設定された個数以上（例：２つ）ある場合、現在の状態を異常事態と決めることができる。
【０１３３】
一実施例に係るプロセッサー１０００は、顔面面積に含まれたレシーバー１２０のピクセルが受信する受信光のエネルギー値の合計が既設定値以上の場合、現在の状態を異常事態と決めることができる。
【０１３４】
ステップＳ１０４０で光出力装置１００は、現在の状態が異常事態と決められた場合、ステップＳ１０５０に移行し、現在の状態が正常状態と決められた場合、ステップＳ１０１０に移行することができる。
【０１３５】
ステップＳ１０５０で一実施例に係る光出力装置１００は、光源の出力が既設定値以下になるように光源の出力を制御する。
【０１３６】
現在の状態が異常事態と決められた場合、光出力装置１００は、光出力装置１００から出力される出力光の強さを既設定値以下に制御することができる。
【０１３７】
例えば、現在の状態が異常事態と決められた場合、光出力装置１００は、出力光が出力されないように出力をオフすることができる。
【０１３８】
他の例で、現在の状態が異常事態と決められた場合、光出力装置１００は出力される出力光の強さが既設定値以下になるように出力を制御することができる。
【０１３９】
他の例で、現在の状態が異常事態と決められた場合、光出力装置１００は現在の状態により光源１１０から出力される出力光を制御することができる。一例で、顔面面積に含まれるレシーバー１２０のピクセルのうちのピクセル当たり受信光のエネルギー値が第１値以上のピクセルがある場合、光出力装置１００は出力光が出力されないように出力をオフして、顔面面積に含まれるレシーバー１２０のピクセルのうちのピクセル当たり受信光のエネルギー値が第２値（第１値よりは小さい値）以上、第１値以下であるピクセルがある場合、光出力装置１００は出力光の強さが既設定値以下になるように出力を制御することができる。
【０１４０】
他の例で、現在の状態が異常事態と決められた場合、光出力装置１００は、顔面面積に含まれたレシーバー１２０のピクセルが受信する受信光のエネルギー値の合計に応じてお力光を制御することができる。一例で、顔面面積に含まれたレシーバー１２０のピクセルが受信する受信光のエネルギー値の合計が第１値以上の場合、光出力装置１００は、出力光が出力されないように出力をオフして、顔面面積に含まれたレシーバー１２０のピクセルが受信する受信光のエネルギー値の合計が第２値（第１値よりは小さい値）以上、第１値以下の場合、光出力装置１００は出力光の強さが既設定値以下になるように出力を制御することができる。
【０１４１】
一方、上述した方法はコンピュータで実行されることができるプログラムで作成可能で、コンピュータで読み込むことができる記録媒体を利用して前記プログラムを動作させる汎用デジタルコンピュータで具現されることができる。さらに、上述した方法で使われたデータの構造は、コンピュータで読み込むことができる記録媒体に様々な手段を介して記録されることができる。前記コンピュータで読み込むことができる記録媒体は、マグネチック格納媒体（例えば、ＲＯＭ、ＲＡＭ、ＵＳＢ、フロッピーディスク、ハードディスクなど）、光学的読み込み媒体(例えば、ＣＤ−ＲＯＭ、ＤＶＤなど)のような格納媒体を含む。
【０１４２】
本実施例と関連した技術分野において通常の知識を有する者は、前記記載の本質的な特性から逸脱しない範囲で変形された形態で具現される可能性があることを理解することができるであろう。従って、開示された方法は限定的な観点でなく説明的な観点で考慮されなければならない。本発明の範囲は、前述した説明でなく特許請求範囲に示されており、それと同等な範囲内にあるいずれの差異点は本発明に含まれたものと解釈されなければならない。
【図１】
2021532341.tif 000003
【図２】
2021532341.tif 000004
【図３】
2021532341.tif 000005
【図４】
2021532341.tif 000006
【図５】
2021532341.tif 000007
【図６】
2021532341.tif 000008
【図７】
2021532341.tif 000009
【図８】
2021532341.tif 000010
【図９】
2021532341.tif 000011
【図１０】
2021532341.tif 000012
【手続補正書】
【提出日】令和3年3月9日(2021.3.9)
【手続補正１】
【補正対象書類名】特許請求の範囲
【補正対象項目名】全文
【補正方法】変更
【補正の内容】
【特許請求の範囲】
【請求項１】
オブジェクトに光を出力する光源と、
前記オブジェクトから前記光が反射する受信光を受信するレシーバーと、
前記光源と前記オブジェクトとの間の距離に応じて認識される前記オブジェクトの基準面積に対する情報が格納されるメモリーと、
前記レシーバーで認識される前記オブジェクトの認識面積と前記基準面積を比較して、前記光源の出力を制御するプロセッサーと、を含む、光出力装置。
【請求項２】
前記プロセッサーは
前記認識面積と前記基準面積の差異値が既設定された値以上の場合、前記光源の出力を低くするかオフする、請求項１に記載の光出力装置。
【請求項３】
前記光源の出力を低くするかオフすることは、前記光源に入力される電圧を低くするか遮断する、請求項２に記載の光出力装置。
【請求項４】
前記プロセッサーは
前記認識面積の大きさに反比例するように前記光源の出力を制御する、請求項１に記載の光出力装置。
【請求項５】
前記プロセッサーは、
前記認識面積が第１区間に決定されると、前記認識面積の大きさに反比例するように前記光源の出力を制御し、
前記認識面積が第２区間に決定されると、前記光源の出力をオフする、請求項１に記載の光出力装置。
【請求項６】
前記認識面積が前記基準面積の９０乃至５０％であれば、前記認識面積は前記第１区間に決定される、請求項５に記載の光出力装置。
【請求項７】
前記認識面積が前記基準面積の５０乃至０％であれば、前記認識面積は前記第２区間に決定される、請求項５に記載の光出力装置。
【請求項８】
前記オブジェクトの距離に応じた基準面積に対する情報は、複数の距離各々に対応する面積の情報をルックアップテーブル（ＬＵＴ：ｌｏｏｋ−ｕｐ  ｔａｂｌｅ）の形態で前記メモリーに格納する、請求項１に記載の光出力装置。
【請求項９】
オブジェクトに光を出力する光源と、
前記オブジェクトから前記光が反射する受信光を受信する複数のピクセルを含むレシーバーと、
前記複数のピクセルの少なくとも一つのピクセルに既設定された強さより高い強さの光が検出される場合、前記光源の出力を制御するプロセッサーと、を含む、光出力装置。
【請求項１０】
前記プロセッサーは
前記複数のピクセルのうち既設定された強さより高い強さの光が検出されるピクセルがある場合、前記光源の出力を低くするかオフする、請求項９に記載の光出力装置。
【請求項１１】
前記複数のピクセルのうち既設定されたピクセル数以上に既設定された強さより高い強さの光が検出される場合、前記光源の出力を低くするかオフする、請求項９に記載の光出力装置。
【請求項１２】
オブジェクトに光を出力する光源と、
前記オブジェクトから前記光が反射する受信光を受信する複数のピクセルを含むレシーバーと、
前記複数のピクセルのうちの前記オブジェクトを認識するピクセルの光検出強さの合計と既設定された基準強さ値を比較して前記光源の出力を制御するプロセッサーと、を含む、光出力装置。
【請求項１３】
前記既設定された基準強さ値は、前記オブジェクトと前記光源との間の距離に応じて前記オブジェクトを認識する前記ピクセル各々に受信される光強さ値の合計である、請求項１２に記載の光出力装置。
【請求項１４】
前記プロセッサーは
前記ピクセルの光検出強さの合計が、既設定された強さ値以上の場合、前記光源の出力を低くするかオフする、請求項１２に記載の光出力装置。
【請求項１５】
オブジェクトに光を出力するステップと、
前記オブジェクトから反射する受信光を受信するステップと、
前記光が前記オブジェクトから反射して受信される距離に応じて認識される前記オブジェクトの基準面積に対する情報を格納されるステップと、
前記受信された光によって認識される前記オブジェクトの認識面積と前記基準面積を比較して前記認識面積が前記基準面積より既設定された値以下である場合、前記光の出力を低くするか遮断するステップと、を含む、光出力装置の制御方法。
【請求項１６】
前記光の出力を低くするか遮断するステップは、
前記認識面積と前記基準面積との差異値が既設定された値以上の場合、前記光源の出力を低くするかオフするステップを含む、請求項１５に記載の光出力装置の制御方法。
【請求項１７】
前記光源の出力を低くするかオフすることは前記光源に入力される電圧を低くするか遮断する、請求項１６に記載の光出力装置の制御方法。
【請求項１８】
前記光の出力を低くするか遮断するステップは、
前記認識面積の大きさに反比例するように前記光源の出力を制御するステップを含む、請求項１５に記載の光出力装置の制御方法。
【請求項１９】
前記光の出力を低くするか遮断するステップは、
前記認識面積が第１区間に決定されると、前記認識面積の大きさに反比例するように前記光源の出力を制御するステップと、
前記認識面積が第２区間に決定されると、前記光源の出力をオフするステップと、を含む、請求項１５に記載の光出力装置の制御方法。
【請求項２０】
前記認識面積が前記基準面積の９０乃至５０％であれば、前記認識面積は前記第１区間に決定され、
前記認識面積が前記基準面積の５０乃至０％であれば、前記認識面積は前記第２区間に決定される、請求項１９に記載の光出力装置の制御方法。
【国際調査報告】
2021532341.tif 000013
2021532341.tif 000014
2021532341.tif 000015
2021532341.tif 000016